(57)【特許請求の範囲】
【請求項１】
ネットワーク上の成功報酬型広告を出稿する広告主によって設けられ、前記広告の対象となるアイテムの申込を受け付ける申込システムと、
前記広告の配信および管理を行う管理サーバーと、
前記広告を掲載するページを提供し、前記広告に付されたリンク情報によってユーザーを前記管理サーバー経由で前記申込システムにアクセスさせ、前記申込システムにおいて前記広告の成功報酬の支払い対象となる対象行為が完了されると前記ユーザーに対してポイントを還元するポイントサーバーと、
情報処理装置と、
を有するポイント還元システムであって、
前記情報処理装置は、
前記ユーザーに対して、前記対象行為を開始する際に前記申込システムに入力するための送信先アドレスを発行する発行部と、
前記申込システムにおいて前記送信先アドレスが入力されて前記対象行為が開始された際に、前記申込システムから前記送信先アドレスに対して送信されるメッセージを受信し、当該メッセージが送信された日時を送信日時情報として取得する取得部と、
前記対象行為が開始された際に前記申込システムから前記管理サーバーに送信されるオーダー情報のうち、当該オーダー情報が送信された日時を示すオーダー日時情報が前記送信日時情報と一致するものを特定する特定部と、
を有するポイント還元システム。
【請求項２】
前記情報処理装置は、前記特定部によって特定されたオーダー情報のステータスを確認し、前記対象行為が完了して前記成功報酬の支払いが確定したことにより前記ステータスが確定状態になると、ポイントの還元が確定した旨を前記送信先アドレスに対して通知する通知部をさらに有する請求項１に記載のポイント還元システム。
【請求項３】
前記管理サーバーは、前記ユーザーが前記広告のリンクにより前記申込システムにアクセスした日時を示すクリック日時情報を前記ポイントサーバーから取得し、前記申込システムから受信する前記オーダー情報と関連付けて第１クリック日時情報として記憶し、
前記情報処理装置は、前記ユーザーが前記広告のリンクにより前記申込システムにアクセスした日時を示すクリック日時情報を前記ポイントサーバーから取得し、送信先アドレスに対して送信される前記メッセージと関連付けて第２クリック日時情報として記憶する記憶部をさらに有し、
前記特定部は、前記オーダー日時情報が前記送信日時情報と一致する前記オーダー情報であって、当該オーダー情報に関連付けられた第１クリック日時情報が前記メッセージに関連付けられた前記第２クリック日時情報と一致するものを特定する請求項１または請求項２に記載のポイント還元システム。
【請求項４】
前記情報処理装置は、前記送信先アドレスに対して送信された前記メッセージを、前記ユーザーが使用する端末において閲覧可能に提供すると共に、前記ユーザーが前記送信先アドレスを用いてメッセージを送信可能とするメッセージ送受信部をさらに有する請求項１〜３のいずれか一項に記載のポイント還元システム。
【請求項５】
ネットワーク上の成功報酬型広告を出稿する広告主によって設けられ、前記広告の対象となるアイテムの申込を受け付ける申込システムと、前記広告の配信および管理を行う管理サーバーと、前記広告を掲載するページを提供し、前記広告に付されたリンク情報によってユーザーを前記管理サーバー経由で前記申込システムにアクセスさせ、前記申込システムにおいて前記広告の成功報酬の支払い対象となる対象行為が完了されると前記ユーザーに対してポイントを還元するポイントサーバーと共にポイント還元システムを構成する情報処理装置であって、
前記ユーザーに対して、前記対象行為を開始する際に前記申込システムに入力するための送信先アドレスを発行する発行部と、
前記申込システムにおいて前記送信先アドレスが入力されて前記対象行為が開始された際に、前記申込システムから前記送信先アドレスに対して送信されるメッセージを受信し、当該メッセージが送信された日時を送信日時情報として取得する取得部と、
前記対象行為が開始された際に前記申込システムから前記管理サーバーに送信されるオーダー情報のうち、当該オーダー情報が送信された日時を示すオーダー日時情報が前記送信日時情報と一致するものを特定する特定部と、
を有する情報処理装置。
【請求項６】
ネットワーク上の成功報酬型広告を出稿する広告主によって設けられ、前記広告の対象となるアイテムの申込を受け付ける申込システムと、前記広告の配信および管理を行う管理サーバーと、前記広告を掲載するページを提供し、前記広告に付されたリンク情報によってユーザーを前記管理サーバー経由で前記申込システムにアクセスさせ、前記申込システムにおいて前記広告の成功報酬の支払い対象となる対象行為が完了されると前記ユーザーに対してポイントを還元するポイントサーバーと、情報処理装置と、を有するポイント還元システムにおいて適用されるプログラムであって、
前記ユーザーに対して、前記対象行為を開始する際に前記申込システムに入力するための送信先アドレスを発行する発行ステップと、
前記申込システムにおいて前記送信先アドレスが入力されて前記対象行為が開始された際に、前記申込システムから前記送信先アドレスに対して送信されるメッセージを受信し、当該メッセージが送信された日時を送信日時情報として取得する取得ステップと、
前記対象行為が開始された際に前記申込システムから前記管理サーバーに送信されるオーダー情報のうち、当該オーダー情報が送信された日時を示すオーダー日時情報が前記送信日時情報と一致するものを特定する特定ステップと、
をコンピューターに実行させる情報処理プログラム。
【発明の詳細な説明】
【技術分野】
【０００１】
本発明は、ポイント還元システム、情報処理装置および情報処理プログラムに関する。
【背景技術】
【０００２】
商品やサービスの提供者により出稿される成功報酬型広告（アフィリエイト広告）をインターネットサイトに掲載し、当該広告を介して商品購入等の対象行為を完了したユーザーに対して、成功報酬の一部をポイントとして還元するサービスが知られている。このようなポイント還元サービスを提供するサイトは、一般にポイントサイトと呼ばれている。近年では、スマートフォン等のアプリケーションを介して、上記のようなサービスが提供されることも多く、このようなアプリケーションはポイントアプリと呼ばれている。以下では、ポイントサイトやポイントアプリを総称してポイントサイトと称する。
【０００３】
ポイントサイトを提供するポイントサーバーは、アフィリエイト広告を管理するアフィリエイトサービスプロバイダーの管理サーバーに接続されている。たとえば、ユーザーは、ポイントサイトにおいて、ユーザー名や連絡先等のユーザーを特定するためのユーザー情報を登録する。続いて、ユーザーがポイントサイトに掲載された商品・サービス等の広告をクリックすると、ユーザーは、管理サーバーを経由して、商品・サービス等の提供者（広告主）のサイトにアクセスする。ここで、ポイントサーバーは、ユーザーがクリックした広告を示す情報や、広告がクリックされた日時を示すクリック日時情報等をポイントサイト利用情報として記憶する。また、管理サーバーは、ユーザーが使用したポイントサイトを示す情報や広告の対象である商品・サービスまたは広告主を示す情報、広告がクリックされた日時を示すクリック日時情報等を管理サーバー利用情報として記憶する。
【０００４】
広告主のサイトでは、ユーザーによるアクセスのリンク元を示すリファラー等の情報により、当該アクセスが管理サーバーを経由したもの、すなわち、アフィリエイト広告を介したものであることを把握できる。ここでユーザーが、広告主のサイトにおいて広告の対象である商品・サービスの申込を行うと、広告主のシステムから管理サーバーへ、当該申込があったことを示す情報であるオーダー情報が送信される。管理サーバーでは、受信したオーダー情報を、事前に記憶した管理サーバー利用情報と関連付けて記憶し、成功報酬を獲得する候補が発生した状態を示す発生ステータスとして管理する。その後、代金精算や契約完了といった所定の条件が満たされると、成功報酬の支払いが確定し、広告主のシステムから管理サーバーへ、成功報酬の支払いが確定したことを示す確定情報が送信される。管理サーバーでは、受信した確定情報に基づいて、オーダー情報のステータスを、発生ステータスから、成功報酬の支払いが確定した状態を示す確定ステータスに変更する。ここで、ポイントサーバーでは、ユーザーが広告主のサイトで申込を行ったか否かを把握できず、成功報酬の支払いが確定したか否かも把握できない。そのため、ポイントサーバーは、管理サーバーからオーダー情報を取得してポイントの還元有無や還元タイミングを判断する。具体的には、ポイントサーバーは、管理サーバーからオーダー情報を取得して、オーダー情報のステータスが確定ステータスとなったレコードについて、該当するユーザーに対してポイントを還元する。しかし、個人情報保護の観点等から、管理サーバーが広告主から取得するオーダー情報には、ユーザーを特定するためのユーザー情報は含まれていない。また、管理サーバーでも、ユーザー情報は保有していないため、オーダー情報にユーザー情報を付加することはできない。したがって、ポイントサーバーでは、管理サーバーからオーダー情報を取得しただけでは、どのユーザーにポイントを還元すべきかを判断できない。この問題を解決するために、ポイントサーバーにおいて、ポイントサーバーおよび管理サーバーに記憶されたクリック日時情報を用いて、オーダー情報とポイントサイトのユーザー情報とをマッチングさせる技術が知られている（特許文献１参照）。
【先行技術文献】
【特許文献】
【０００５】
【特許文献１】特開２００１−１１７８４７号公報
【発明の概要】
【発明が解決しようとする課題】
【０００６】
しかしながら、広告のクリックは気軽に行えるため、クリックが発生するイベント回数は、非常に多くなる。これにより、上記特許文献１記載の技術では、ポイントサーバーにおいて記憶されるクリック日時情報のレコード数が非常に多くなり、ときにはクリックの日時が重複したレコードが発生することもある。したがって、クリック日時情報を用いたマッチングは信頼性が低いという問題がある。したとえば、複数のユーザーが同じタイミングにクリックした場合、同一のクリック日時情報が複数生成されてしまう。この場合、クリック日時情報だけでは、オーダー情報とポイントサイトの利用情報とを一意にマッチングできず、どのユーザーにポイントを還元すべきかを正確に判断できない。その結果、申込を行い本来ポイントが還元されるべきユーザーにポイントが還元されないといった事象や、申込を行っていないユーザーにポイントが還元されるといった事象が発生してしまう。したがって、ポイントを還元すべきユーザーを適切に判断するために、より確度が高く、イベント回数も少ない情報に基づいてオーダー情報とユーザー情報とのマッチングを行い、マッチングの信頼性を高めることが望まれている。
【０００７】
本発明は、上記事情に鑑みてなされたものであり、ポイントを還元すべきユーザーを適切に判断するために、確度の高い情報に基づいてオーダー情報とポイントサイトのユーザー情報とを適切にマッチングするポイント還元システム、情報処理装置および情報処理プログラムを提供することを目的とする。
【課題を解決するための手段】
【０００８】
上記目的は、下記の手段によって達成される。
【０００９】
ポイント還元システムは、申込システム、管理サーバー、ポイントサーバーおよび情報処理装置を有する。申込システムは、ネットワーク上の成功報酬型広告を出稿する広告主によって設けられ、広告の対象となるアイテムの申込を受け付ける。管理サーバーは、広告の配信および管理を行う。ポイントサーバーは、広告を掲載するページを提供し、広告に付されたリンク情報によってユーザーを管理サーバー経由で申込システムにアクセスさせ、申込システムにおいて広告の成功報酬の支払い対象となる対象行為が完了されるとユーザーに対してポイントを還元する。情報処理装置は、発行部、取得部および特定部を有する。発行部は、ユーザーに対して、対象行為を開始する際に申込システムに入力するための送信先アドレスを発行する。取得部は、申込システムにおいて送信先アドレスが入力されて対象行為が開始された際に、申込システムから送信先アドレスに対して送信されるメッセージを受信し、当該メッセージが送信された日時を送信日時情報として取得する。特定部は、対象行為が開始された際に申込システムから管理サーバーに送信されるオーダー情報のうち、当該オーダー情報が送信された日時を示すオーダー日時情報が送信日時情報と一致するものを特定する。
【００１０】
情報処理装置は、ネットワーク上の成功報酬型広告を出稿する広告主によって設けられ、広告の対象となるアイテムの申込を受け付ける申込システムと、広告の配信および管理を行う管理サーバーと、広告を掲載するページを提供し、広告に付されたリンク情報によってユーザーを管理サーバー経由で申込システムにアクセスさせ、申込システムにおいて広告の成功報酬の支払い対象となる対象行為が完了されるとユーザーに対してポイントを還元するポイントサーバーと共にポイント還元システムを構成する。情報処理装置は、発行部、取得部および特定部を有する。発行部は、ユーザーに対して、対象行為を開始する際に申込システムに入力するための送信先アドレスを発行する。取得部は、申込システムにおいて送信先アドレスが入力されて対象行為が開始された際に、申込システムから送信先アドレスに対して送信されるメッセージを受信し、当該メッセージが送信された日時を送信日時情報として取得する。特定部は、対象行為が開始された際に申込システムから管理サーバーに送信されるオーダー情報のうち、当該オーダー情報が送信された日時を示すオーダー日時情報が送信日時情報と一致するものを特定する。
【００１１】
情報処理プログラムは、ネットワーク上の成功報酬型広告を出稿する広告主によって設けられ、広告の対象となるアイテムの申込を受け付ける申込システムと、広告の配信および管理を行う管理サーバーと、広告を掲載するページを提供し、広告に付されたリンク情報によってユーザーを管理サーバー経由で申込システムにアクセスさせ、申込システムにおいて広告の成功報酬の支払い対象となる対象行為が完了されるとユーザーに対してポイントを還元するポイントサーバーと、情報処理装置と、を有するポイント還元システムにおいて適用される。情報処理プログラムは、発行ステップ、取得ステップおよび特定ステップをコンピューターに実行させる。発行ステップは、ユーザーに対して、対象行為を開始する際に申込システムに入力するための送信先アドレスを発行する。取得ステップは、申込システムにおいて送信先アドレスが入力されて対象行為が開始された際に、申込システムから送信先アドレスに対して送信されるメッセージを受信し、当該メッセージが送信された日時を送信日時情報として取得する。特定ステップは、対象行為が開始された際に申込システムから管理サーバーに送信されるオーダー情報のうち、当該オーダー情報が送信された日時を示すオーダー日時情報が送信日時情報と一致するものを特定する。
【発明の効果】
【００１２】
本発明のポイント還元システムによれば、オーダー情報の中から、オーダー日時情報が、申込システムから送信されるメッセージの送信日時情報と一致するものを特定する。メッセージの送信日時情報を用いてマッチングを行うことにより、確度の高い情報に基づいてオーダー情報とポイントサイトのユーザー情報とを適切にマッチングすることができる。したがって、ポイントサイトにおいて、ポイントを還元すべきユーザーを適切に判断できる。
【図面の簡単な説明】
【００１３】
【図１】本発明の一実施形態に係るポイント還元システムの概略構成を示す図である。
【図２】ユーザー端末の概略構成を示すブロック図である。
【図３】ポイントサーバーの概略構成を示すブロック図である。
【図４】情報処理装置の概略構成を示すブロック図である。
【図５】管理サーバーの概略構成を示すブロック図である。
【図６】申込サーバーの概略構成を示すブロック図である。
【図７】ポイント還元システムにおけるユーザー登録処理の手順を示すシーケンスチャートである。
【図８】図７のステップＳ１０３の処理においてユーザー端末に表示されるトップ画面の一例を示す図である。
【図９】図７のステップＳ１０６の処理においてユーザー端末に表示される登録画面の一例を示す図である。
【図１０】図７のステップＳ１１４の処理においてユーザー端末に表示されるアドレス通知画面の一例を示す図である。
【図１１】ポイント還元システムにおけるサービス利用処理の手順を示すシーケンスチャートである。
【図１２】図１１のステップＳ２１２の処理においてユーザー端末に表示される申込画面の一例を示す図である。
【図１３】図１１のステップＳ２２５の処理においてユーザー端末に表示されるマイページ画面の一例を示す図である。
【図１４】情報処理装置に記憶される情報の一例を示す図である。
【図１５】情報処理装置が管理サーバーから取得するオーダー情報の一例を示す図である。
【図１６】変形例に係るポイント還元システムにおけるサービス利用処理の手順を示すシーケンスチャートである。
【発明を実施するための形態】
【００１４】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１５】
＜ポイント還元システムの構成＞
図１は、本発明の第１実施形態に係るポイント還元システムの概略構成を示す図である。
【００１６】
第１実施形態のポイント還元システムは、たとえば、ユーザーがスマートフォン等のモバイル端末や各種ＰＣ（Ｐｅｒｓｏｎａｌ  Ｃｏｍｐｕｔｅｒ）を用いてアクセスするポイントサイトを提供するために設けられる。
【００１７】
図１に示すように、ポイント還元システムは、ユーザー端末１００、ポイントサーバー２００、情報処理装置３００、管理サーバー４００および申込サーバー５００を有し、各構成はネットワークを通じて相互に通信可能に構成されている。
【００１８】
ユーザー端末１００は、ユーザーが使用するスマートフォン等のモバイル端末やノートＰＣ、デスクトップＰＣなどの情報端末である。
【００１９】
ポイントサーバー２００は、ポイントサイトの運営者によって設けられ、ポイントサイトを提供するサーバーである。ポイントサーバー２００は、管理サーバー４００から配信されるアフィリエイト広告を、ポイントサイトのページに掲載してユーザーに配信する。
【００２０】
情報処理装置３００は、たとえばサーバー等のコンピューターであり、ポイントサーバー２００に登録されるポイントサイトのユーザー情報と、管理サーバー４００が申込サーバー５００から受領する商品・サービスの申込情報とのマッチングを行う。
【００２１】
管理サーバー４００は、アフィリエイトサービスプロバイダーによって運営されるサーバーであり、広告主から出稿されるアフィリエイト広告の配信や管理を行う。
【００２２】
申込サーバー５００は、商品・サービスの広告を出稿した広告主によって運営されるサーバーであり、広告の対象となる商品・サービス等の申込を受け付ける。
【００２３】
上記のポイント還元システムによれば、ユーザーは、ポイントサーバー２００のポイントサイトを閲覧できる。ポイントサイトには、管理サーバー４００に管理されるアフィリエイト広告が掲載されているので、ユーザーは適宜、気になるアフィリエイト広告を選択できる。アフィリエイト広告を選択すると、ユーザーは、広告主の申込サーバー５００で買い物等を楽しめる。ユーザーが商品を購入した場合、管理サーバー４００やポイントサーバー２００の管理者には広告主から広告の成功報酬が支払われ、ユーザーには、ポイントサーバー２００の管理者からポイント等の相応の特典が付与される。
【００２４】
ユーザーにポイントを付与するのがポイントサーバー２００である一方、ユーザーが最終的に商品を購入するのは広告主の申込サーバー５００である。すなわち、ポイントを付与すべきユーザーを特定する主体（ポイントサーバー２００）と、商品等を購入したユーザーを特定する主体（申込サーバー５００）とが異なる。したがって、ポイントを付与すべきユーザーと、商品等を購入したユーザーとのマッチングが必要になる。本実施形態では、当該マッチングを適切に行う。
【００２５】
以下、各構成について詳細に説明する。
【００２６】
＜ユーザー端末１００＞
図２は、ユーザー端末の概略構成を示すブロック図である。
【００２７】
図２に示すように、ユーザー端末１００は、ＣＰＵ（Ｃｅｎｔｒａｌ  Ｐｒｏｃｅｓｓｉｎｇ  Ｕｎｉｔ）１１０、ＲＯＭ（Ｒｅａｄ  Ｏｎｌｙ  Ｍｅｍｏｒｙ）１２０、ＲＡＭ（Ｒａｎｄｏｍ  Ａｃｃｅｓｓ  Ｍｅｍｏｒｙ）１３０、ストレージ１４０、通信インターフェース１５０および操作表示部１６０を有する。各構成は、バス１７０を介して相互に通信可能に接続されている。
【００２８】
ＣＰＵ１１０は、ＲＯＭ１２０やストレージ１４０に記録されているプログラムにしたがって、上記各構成の制御や各種の演算処理を行う。
【００２９】
ＲＯＭ１２０は、各種プログラムや各種データを格納する。
【００３０】
ＲＡＭ１３０は、作業領域として一時的にプログラムやデータを記憶する。
【００３１】
ストレージ１４０は、オペレーティングシステムを含む各種プログラムや、各種データを格納する。たとえば、ストレージ１４０には、ネットワークを介してポイントサーバー２００や申込サーバー５００にアクセスするためのアプリケーションがインストールされている。また、ストレージ１４０には、各サーバーにより提供されるページを表示したり、各サーバーに対して入力情報を送信したりするためのアプリケーションもインストールされている。
【００３２】
通信インターフェース１５０は、ポイントサーバー２００や申込サーバー５００等の外部機器と通信するためのインターフェースであり、たとえば、携帯電話通信用の３Ｇ、４Ｇ等の規格や、Ｗｉ−Ｆｉ（登録商標）等の規格が用いられる。
【００３３】
操作表示部１６０は、たとえば、タッチパネル式のディスプレイであり、各種情報を表示すると共に、ユーザーからの各種入力を受け付ける。
【００３４】
＜ポイントサーバー２００＞
図３は、ポイントサーバーの概略構成を示すブロック図である。
【００３５】
図３に示すように、ポイントサーバー２００は、ＣＰＵ２１０、ＲＯＭ２２０、ＲＡＭ２３０、ストレージ２４０、通信インターフェース２５０、操作部２６０および表示部２７０を有する。各構成は、バス２８０を介して相互に通信可能に接続されている。なお、ＣＰＵ２１０、ＲＯＭ２２０およびＲＡＭ２３０は、ユーザー端末１００のＣＰＵ１１０、ＲＯＭ１２０およびＲＡＭ１３０と同様の機能を有するので、説明の重複を避けるためその説明を省略する。
【００３６】
ストレージ２４０は、オペレーティングシステムを含む各種プログラムや、各種データを格納する。ストレージ２４０には、モバイルインターネット等においてユーザーにポイントを還元するポイントサイトを提供するためのプログラムがインストールされている。また、ストレージ２４０には、ポイントサイトに登録したユーザーの名前や連絡先といったユーザー情報やユーザー毎のポイント情報、管理サーバーによって配信されるアフィリエイト広告に関する情報等が記憶される。
【００３７】
通信インターフェース２５０は、他の機器と通信するためのインターフェースであり、たとえば、イーサネット（登録商標）、ＦＤＤＩ、Ｗｉ−Ｆｉ（登録商標）等の規格が用いられる。
【００３８】
操作部２６０は、マウス等のポインティングデバイス、およびキーボードを含み、各種の入力を行うために使用される。
【００３９】
表示部２７０は、たとえば、液晶ディスプレイであり、各種の情報を表示する。
【００４０】
＜情報処理装置３００＞
図４は、情報処理装置の概略構成を示すブロック図である。
【００４１】
図４に示すように、情報処理装置３００は、ＣＰＵ３１０、ＲＯＭ３２０、ＲＡＭ３３０、ストレージ３４０、通信インターフェース３５０、操作部３６０および表示部３７０を有する。各構成は、バス３８０を介して相互に通信可能に接続されている。なお、ＲＯＭ３２０、ＲＡＭ３３０、通信インターフェース３５０、操作部３６０および表示部３７０は、ポイントサーバー２００のＲＯＭ２２０、ＲＡＭ２３０、通信インターフェース２５０、操作部２６０および表示部２７０と同様の機能を有するので、説明の重複を避けるためその説明を省略する。
【００４２】
ＣＰＵ３１０は、ＲＯＭ３２０やストレージ３４０に記録されているプログラムにしたがって、上記各構成の制御や各種の演算処理を行う。ＣＰＵ３１０は、発行部、取得部、特定部、通知部およびメッセージ送受信部として機能する。
【００４３】
ストレージ３４０は、オペレーティングシステムを含む各種プログラムや、各種データを格納する。ストレージ３４０には、ポイントサイトにおいてユーザー登録を行ったユーザーにメールアドレスを発行するプログラムがインストールされている。また、ストレージ３４０には、当該メールアドレスを用いて送受信されるメールを管理するプログラムや、ユーザーが当該メールアドレスを用いてメッセージの送受信を行うためのメールＢＯＸを提供するプログラムもインストールされている。また、ストレージ２４０には、ポイントサーバー２００から送信されたポイントサイトの利用情報や、上記のユーザーのメールアドレスに対して送信されたメールの送信日時等を示す情報等が記憶される。
【００４４】
＜管理サーバー４００＞
図５は、管理サーバーの概略構成を示すブロック図である。
【００４５】
図５に示すように、管理サーバー４００は、ＣＰＵ４１０、ＲＯＭ４２０、ＲＡＭ４３０、ストレージ４４０、通信インターフェース４５０、操作部４６０および表示部４７０を有する。各構成は、バス４８０を介して相互に通信可能に接続されている。なお、ＣＰＵ４１０、ＲＯＭ４２０、ＲＡＭ４３０、ストレージ４４０、通信インターフェース４５０、操作部４６０および表示部４７０は、ポイントサーバー２００のＣＰＵ２１０、ＲＯＭ２２０、ＲＡＭ２３０、通信インターフェース２５０、操作部２６０および表示部２７０と同様の機能を有するので、説明の重複を避けるためその説明を省略する。
【００４６】
ストレージ４４０は、オペレーティングシステムを含む各種プログラムや、各種データを格納する。ストレージ４４０には、広告主から出稿されたアフィリエイト広告を配信および管理するためのアプリケーションがインストールされている。ストレージ４４０には、ポイントサーバー２００から送信されるポイント申込情報、すなわちどの広告がいつクリックされたかを示すアフィリエイト広告の利用情報が記憶される。また、ストレージ４４０には、広告主の申込サーバー５００から受信するオーダー情報が、上記のアフィリエイト広告の利用情報と対応付けて記憶される。オーダー情報には、広告の対象である商品・サービスの申込の処理状態を示すステータス情報が含まれる。ステータス情報の種類としては、たとえば、成功報酬を獲得する候補が発生した状態を示す「発生」や、成功報酬の獲得が確定した状態等を示す「確定」がある。
【００４７】
＜申込サーバー５００＞
図６は、申込サーバーの概略構成を示すブロック図である。
【００４８】
図６に示すように、申込サーバー５００は、ＣＰＵ５１０、ＲＯＭ５２０、ＲＡＭ５３０、ストレージ５４０、通信インターフェース５５０、操作部５６０および表示部５７０を有する。各構成は、バス５８０を介して相互に通信可能に接続されている。なお、ＣＰＵ５１０、ＲＯＭ５２０、ＲＡＭ５３０、ストレージ５４０、通信インターフェース５５０、操作部５６０および表示部５７０は、ポイントサーバー２００のＣＰＵ２１０、ＲＯＭ２２０、ＲＡＭ２３０、通信インターフェース２５０、操作部２６０および表示部２７０と同様の機能を有するので、説明の重複を避けるためその説明を省略する。
【００４９】
ストレージ５４０は、オペレーティングシステムを含む各種プログラムや、各種データを格納する。ストレージ５４０には、アフィリエイト広告の対象となる商品・サービスの申込を受け付けるページを提供するアプリケーションがインストールされている。また、ストレージ５４０には、申込を受け付けた際に申込情報として入力されたメールアドレスにメールを送信する機能や、受け付けた申込のステータスを管理して管理サーバー４００に送信する機能を有するプログラムが記憶されている。
【００５０】
なお、ポイント還元システムの各構成は、それぞれ上記の構成要素以外の構成要素を含んでいてもよく、あるいは、上記の構成要素のうちの一部が含まれていなくてもよい。
【００５１】
＜ポイント還元システムにおける処理の概要＞
まず、ポイント還元システムにおけるユーザー登録処理の手順について説明する。
【００５２】
図７は、ポイント還元システムにおけるユーザー登録処理の手順を示すシーケンスチャートである。図８は、図７のステップＳ１０３の処理においてユーザー端末に表示されるトップ画面の一例を示す図である。図９は、図７のステップＳ１０６の処理においてユーザー端末に表示される登録画面の一例を示す図である。図１０は、図７のステップＳ１１４の処理においてユーザー端末に表示されるアドレス通知画面の一例を示す図である。図７のシーケンスチャートに示される各装置の処理は、各装置のストレージにプログラムとして記憶されており、各装置のＣＰＵが各部を制御することにより実行される。
【００５３】
図７に示すように、ユーザー端末１００は、ポイントサーバー２００に対してアクセス要求を送信する（ステップＳ１０１）。具体的には、ユーザー端末１００は、ユーザーによる操作表示部１６０の操作に基づいて、ネットワークを介してポイントサーバー２００に接続し、ポイントサイトへのアクセスを要求する。
【００５４】
ポイントサーバー２００は、ユーザー端末１００からのアクセス要求に基づいて、ユーザー端末１００に対してポイントサイトのトップ画面を表示するためのトップ画面情報を送信する（ステップＳ１０２）。
【００５５】
ユーザー端末１００は、ポイントサーバー２００から送信されたトップ画面情報に基づいて、ポイントサイトの画面を表示し、ユーザーからユーザー登録を行う旨の要求を受け付ける（ステップＳ１０３）。たとえば、ユーザー端末１００は、図８に示すような画面を操作表示部１６０に表示する。図８の画面において、ユーザーが「ユーザー登録」ボタン１６１を押下すると、ユーザー端末１００はユーザー登録を行う旨の要求を受け付ける。続いて、ユーザー端末１００は、ポイントサーバー２００に対してユーザー登録を要求する（ステップＳ１０４）。
【００５６】
ポイントサーバー２００は、ユーザー端末１００からのユーザー登録要求に基づいて、ユーザー端末１００に対してユーザー登録画面を表示するための登録画面情報を送信する（ステップＳ１０５）。
【００５７】
ユーザー端末１００は、ポイントサーバー２００から送信された登録画面情報に基づいて、ユーザー登録画面を表示し、ユーザーから登録情報の入力を受け付ける（ステップＳ１０６）。具体的には、ユーザー端末１００は、図９に示すような画面を操作表示部１６０に表示する。図９の画面において、ユーザーが名前、連絡先、ユーザーＩＤ、パスワード等のユーザー登録情報を入力し、「登録」ボタン１６４を押下すると、ユーザー端末１００は、ユーザー登録情報を受け付ける。ユーザー端末１００は、受け付けたユーザー登録情報を、ポイントサーバー２００に送信する（ステップＳ１０７）。
【００５８】
ポイントサーバー２００は、ユーザー端末１００から送信されたユーザー登録情報を受け付け（ステップＳ１０８）、ストレージ２４０に記憶する。続いて、ポイントサーバー２００は、情報処理装置３００に対して、ユーザーに発行するアドレスを要求する（ステップＳ１０９）。
【００５９】
情報処理装置３００は、ポイントサーバー２００から送信されたアドレス要求に基づいて、送信先アドレスとしてのメールアドレスを発行する（ステップＳ１１０）。発行されたメールアドレスは、ユーザーがポイント還元の対象となる商品・サービスを申し込む際に使用される。また、情報処理装置３００はメールサーバーとして機能するため、発行したメールアドレスを用いて送受信されるメールは、情報処理装置３００によって管理される。情報処理装置３００は、発行したメールアドレスをポイントサーバー２００へ送信する（ステップＳ１１１）。
【００６０】
ポイントサーバー２００は、情報処理装置３００から受信したメールアドレスを記憶する（ステップＳ１１２）。具体的には、ポイントサーバー２００は、受信したメールアドレスを、ステップＳ１０８においてストレージ２４０に記憶したユーザー登録情報と対応付けてストレージ２４０に記憶する。続いて、ポイントサーバー２００は、メールアドレスをユーザー端末１００へ送信する（ステップＳ１１３）。
【００６１】
ユーザー端末１００は、ポイントサーバー２００から受信したメールアドレスをユーザーに通知する（ステップＳ１１４）。たとえば、ユーザー端末１００は、図１０に示すような画面を表示して、ポイント還元サービスで使用するメールアドレスをユーザーに通知する。これにより、ユーザーは、ポイント還元サービスにおいて使用するユーザー用メールアドレスを取得できる。以上の処理により、ポイントサイトにおけるユーザー登録が完了する。
【００６２】
次に、ポイント還元システムにおけるポイント還元処理の手順について説明する。
【００６３】
図１１は、ポイント還元システムにおけるサービス利用処理の手順を示すシーケンスチャートである。図１２は、図１１のステップＳ２１２の処理においてユーザー端末に表示される申込画面の一例を示す図である。図１３は、図１１のステップＳ２２５の処理においてユーザー端末に表示されるマイページ画面の一例を示す図である。図１４は、情報処理装置に記憶される情報の一例を示す図である。図１５は、情報処理装置が管理サーバーから取得するオーダー情報の一例を示す図である。図１１のシーケンスチャートに示される各装置の処理は、各装置のストレージにプログラムとして記憶されており、各装置のＣＰＵが各部を制御することにより実行される。
【００６４】
図１１に示すように、ユーザー端末１００は、ポイントサーバー２００との間でログイン認証を行う（ステップＳ２０１）。具体的には、ユーザー端末１００において、ユーザーＩＤやパスワード等の入力を受け付けてポイントサーバー２００に送信する。ポイントサーバー２００において、事前に登録されたユーザー登録情報と合致することが確認されると、ログイン認証が完了する。ログイン認証が完了後、ポイントサーバー２００は、ユーザー端末１００にトップ画面情報を送信する（ステップＳ２０２）。
【００６５】
ユーザー端末１００は、ポイントサーバー２００から送信されたトップ画面情報に基づいて、ポイントサイトのトップ画面を表示し、ユーザーからポイント還元サービスを利用する旨の要求であるサービス利用要求を受け付ける（ステップＳ２０３）。具体的には、ユーザー端末１００は、図８に示すような画面を操作表示部１６０に表示する。たとえば、図８の画面において、ユーザーが「Ａカード発行５０００ポイント」というポイント還元サービスに対応する「サービス利用」ボタン１６３を押下すると、ユーザー端末１００は、サービス利用要求を受け付ける。「Ａカード発行５０００ポイント」というポイント還元サービスとは、たとえば、ユーザーがクレジットカードであるＡカードをカード会社に申し込んだ時点で、各種審査等を経てＡカードが発行された場合、ユーザーに５０００ポイントが還元されるものである。この場合、Ａカードの申込が行われた時点で、広告の成功報酬の支払い対象となる対象行為が発生したことになり、Ａカードが実際に発行された時点で、対象行為が完了したことになる。対象行為が完了した場合に、広告の成功報酬の支払いが確定し、ユーザーへのポイントが還元も確定する。ユーザー端末１００は、サービス利用要求を、ポイントサーバー２００に送信する（ステップＳ２０４）。
【００６６】
ポイントサーバー２００は、ユーザー端末１００から送信された利用要求を受け付け（ステップＳ２０５）、サービス利用要求を行ったユーザーの情報や、利用要求されたサービスに関する情報をストレージ２４０に記憶する。
【００６７】
続いて、ポイントサーバー２００は、受け付けたサービス利用要求に基づいて、ポイント還元サービスに対応するアフィリエイト広告を利用するための広告利用要求を、管理サーバー４００に送信する（ステップＳ２０６）。広告利用要求には、ユーザーが「サービス利用」ボタン１６３を押下した日時を示す「クリック日時」情報や、利用するアフィリエイト広告を識別するための情報等が含まれる。管理サーバー４００は、ポイントサーバー２００から送信された広告利用要求を受け付けて、広告利用要求に含まれる上記の情報をストレージ４４０に記憶する（ステップＳ２０７）。
【００６８】
また、ポイントサーバー２００は、ポイントサイトを利用したユーザーや利用されたサービスを示すポイントサイト利用情報を情報処理装置３００にも送信する（ステップＳ２０８）。ポイントサイト利用情報には、利用したユーザーの「ユーザー用メールアドレス」情報、商品・サービスの内容、広告利用要求が送信された管理サーバー４００を識別するための「管理サーバー」情報等が含まれている。情報処理装置３００は、受信したポイントサイト利用情報を、ストレージ３４０に記憶する（ステップＳ２０９）。
【００６９】
管理サーバー４００は、ステップＳ２０７の処理において広告利用要求を受け付けると、ユーザーからのアクセスを、申込サーバー５００にリダイレクト転送する（ステップＳ２１０）。
【００７０】
申込サーバー５００は、リダイレクト転送を受け付けると、ユーザーが商品・サービスの申込を行う画面を示す申込画面情報を、ユーザー端末１００に送信する（ステップＳ２１１）。
【００７１】
ユーザー端末１００は、申込サーバー５００から送信された申込画面情報に基づいて、申込画面を表示し、ユーザーから商品・サービスの申込要求を受け付ける（ステップ２１２）。たとえば、ユーザー端末１００は、図１２に示すような画面を操作表示部１６０に表示する。図１２の画面において、ユーザーは名前や住所、メールアドレスといった商品・サービスの申込に必要となる情報を入力する。ここで、ユーザーは、図７のステップＳ１１４の処理において、ポイント還元サービスにおいて使用するユーザー用メールアドレスを取得している。したがって、ユーザーは、当該ユーザー用メールアドレスを、図１２に示す画面の「メールアドレス」の欄に入力する。ユーザーが「申込」ボタン１６５を押下すると、ユーザー端末１００は、商品・サービスについて申込要求を受け付ける。ユーザー端末１００は、受け付けた申込要求を、入力されたユーザー用メールアドレス等と共に、申込サーバー５００に送信する（ステップＳ２１３）。
【００７２】
申込サーバー５００は、ユーザー端末１００から送信された申込要求およびユーザー用メールアドレスを受信し、受信した申込要求に基づいて、商品・サービスの申込を受け付ける（ステップＳ２１４）。申込サーバー５００は、受信したユーザー用メールアドレス宛に、商品・サービスの申込を受け付けたことを示す申込受付メールを送信する（ステップＳ２１５）。
【００７３】
ユーザー用メールアドレス宛に送信されるメールは、情報処理装置３００によって管理されているため、情報処理装置３００は、申込受付メールを受信する。情報処理装置３００は、メールＢＯＸ機能を通じて、申込受付メールを表示する画面情報をユーザー端末１００に送信する（ステップＳ２１６）。ユーザー端末１００は、たとえば図１３に示すように、ポイントサイトのマイページ等に設けられたメールＢＯＸに、申込受付メールを表示する。図１３のマイページ画面は、たとえば、図８のトップ画面の「マイページ」ボタン１６２を押下することによって表示される。ユーザーは、メールＢＯＸを確認することにより、申込受付メールを確認することができ、ポイント還元サービスの対象行為が発生したことを把握できる。
【００７４】
また、情報処理装置３００は、申込サーバー５００から受信した申込受付メールの送信日時を示す「メール送信日時」情報を、ポイントサイト利用情報と対応付けて、申込受付情報としてストレージ３４０に記憶する（ステップＳ２１７）。具体的には、情報処理装置３００は、図１３に示すように、「メール送信日時」情報を、ステップＳ２０９において記憶された「ユーザー用メールアドレス」、「管理サーバー」等と対応付けて申込受付情報として記憶する。対応付けは、申込受付メールの宛先メールアドレスと情報処理装置３００に記憶されたユーザー用メールアドレスとのマッチングや、申込受付メールに含まれる商品・サービスの名称等と、ポイントサイト利用情報の内容とのマッチング等により行うことができる。
【００７５】
申込サーバー５００は、ステップＳ２１５において申込受付メールを送信した際に、同じタイミングで、管理サーバー４００に対して、オーダー情報を送信する（ステップＳ２１８）。オーダー情報は、申込サーバー５００においてアフィリエイト広告の対象となる商品・サービスの申込が受け付けられたことを管理サーバー４００に通知する情報である。オーダー情報には、商品・サービスを識別するための情報や、オーダー情報を送信した日時を示す「オーダー日時」、商品・サービスの申込の状態を示す「ステータス」が含まれる。ここで、ある商品・サービスの申込に関する「オーダー日時」は、その申込においてステップＳ２１７の処理で情報処理装置３００に記憶される「メール送信日時」と同一になる。「ステータス」は、オーダー情報が受信された時点では、「発生」の状態を示している。管理サーバー４００は、受信したオーダー情報をストレージ４４０に記憶する（ステップＳ２１９）。
【００７６】
その後、当該申込についてクレジットカードの発行等の対象行為が完了し、成功報酬の支払いが確定すると（ステップＳ２２０）、申込サーバー５００から管理サーバー４００へ、確定情報が送信される。管理サーバー４００では、当該申込のオーダー情報の「ステータス」が「発生」から「確定」に更新される。
【００７７】
たとえば、上述したクレジットカード申込の例では、カードの申込が行われた時点では、「ステータス」は「発生」の状態を示す。その後、各種審査等が行われ実際にカードが発行されると、成功報酬の支払いが確定し、「ステータス」は「確定」の状態となる。
【００７８】
情報処理装置３００は、ステップＳ２１７の処理において記憶した申込受付情報について、ポイントの還元が確定したか否かを確認するため、管理サーバー４００からオーダー情報を取得する（ステップＳ２２１）。情報処理装置３００が管理サーバー４００から取得するオーダー情報には、図１５に示すように、「オーダー日時」や「ステータス」が含まれている。
【００７９】
続いて、情報処理装置３００は、ステップＳ２１７の処理においてストレージ３４０に記憶した申込受付情報の「メール送信日時」と、オーダー情報の「オーダー日時」をマッチングし、申込受付情報とオーダー情報とを対応付ける（ステップＳ２２２）。具体的には、取得したオーダー情報の中から、「オーダー日時」が、申込受付情報の「メール送信日時」と一致するものを抽出し、抽出されたオーダー情報と申込受付情報と対応付ける。たとえば、図１４および図１５の例では、「メール送信日時」と「オーダー日時」とのマッチングにより、図１４のＳＥＱ１、２、３、４の各レコードは、図１５のＳＥＱ１１、１３、１５、１７の各レコードにそれぞれ対応付けられる。
【００８０】
続いて、情報処理装置３００は、対応付けられたオーダー情報の「ステータス」情報を確認し、「ステータス」情報により示される状態が、「確定」であるか否かを判断する（ステップＳ２２３）。
【００８１】
「確定」でない場合（ステップＳ２２３：ＮＯ）、情報処理装置３００は、ステップＳ２２１の処理に戻り、「確定」となるまでステップＳ２２１〜Ｓ２２３の処理を繰り返す。
【００８２】
「確定」である場合（ステップＳ２２３：ＹＥＳ）、情報処理装置３００は、ポイントの還元が確定した旨をユーザー端末１００に通知する（ステップＳ２２４）。具体的には、情報処理装置３００は、ユーザー用メールアドレス宛にポイントの還元が確定したことを示すメールを送信する。図１４および図１５の例では、図１４のＳＥＱ１、３の各レコードは、図１５のＳＥＱ１１、１５の各レコードと対応している。そして、ＳＥＱ１１、１５のステータスは「確定」である。したがって、情報処理装置３００は、図１４のＳＥＱ１、３の各レコードに対応するユーザー用メールアドレスに対して、ポイント還元が確定したことを示すメールを送信する。
【００８３】
ユーザー端末１００は、図１３に示すようなマイページのメールＢＯＸ画面に、ポイントの還元が確定したことを示すメールを表示する（ステップＳ２２５）。これにより、ユーザーはポイントの還元が確定したことを適時かつ容易に把握できる。
【００８４】
以上のように、本実施形態の情報処理装置３００によれば、取得したオーダー情報の中から、「オーダー日時」が、申込受付情報の「メール送信日時」と一致するものを特定する。「メール送信日時」は、「クリック日時」に比べてイベント回数が少なく、ポイントを還元する対象となる確度が高い申込受付情報に含まれる情報である。したがって、「メール送信日時」を用いてマッチングを行うことにより、管理サーバーから取得するオーダー情報とポイントサイトの申込受付情報とを、より精度よく適切にマッチングできる。これにより、ポイントサイトにおいて、ポイントを還元すべきユーザーを適切に判断できる。
【００８５】
また、情報処理装置３００は、特定されたオーダー情報のステータスを確認し、ステータスが確定状態になると、ポイントの還元が確定した旨をユーザー用アドレスに対して通知する。これにより、ポイントサイトのユーザーはポイント還元が確定したことを適時かつ確実に知ることができ、安心してポイントサイトを利用できる。
【００８６】
また、情報処理装置３００は、ユーザー用メールアドレスに対して送信されたメール等のメッセージを閲覧可能に提供すると共に、ユーザー用メールアドレスを用いてメッセージを送信可能とするメールＢＯＸを提供する。これにより、ユーザーはポイント還元の確定等の通知を容易に確認することができる。また、ユーザーは、ユーザー用メールアドレスおよびメールＢＯＸをポイントサイト以外の汎用的な目的にも使用できる。情報処理装置３００では、ユーザーのポイントサイト利用情報を把握できるため、ユーザー消費動向や趣味趣向、ライフステージ、ライフスタイル等を容易に把握できる。したがって、ユーザーに適した商品・サービスを選定してより適切なポイント還元サービスや広告を提供できる。
【００８７】
なお、本発明は、上述した実施形態のみに限定されるものではなく、特許請求の範囲内において、種々改変することができる。
【００８８】
たとえば、上記の実施形態においては、ポイントサーバー２００が、ポイントサイトを提供し、ユーザー端末１００がポイントサイトに都度アクセスしてポイント還元を行う場合の例を説明したが、ポイント還元を実施する形態はこれに限定されない。たとえば、ポイントサーバー２００の機能の全部または一部が、ポイントアプリケーションとしてユーザー端末１００にインストールされ、ポイント還元が実施されてもよい。
【００８９】
また、上記の実施形態においては、情報処理装置３００は、ポイントサーバー２００やユーザー端末１００とは別体の装置として設けられる例について説明したが、これに限定されない。情報処理装置３００は、ポイントサーバー２００やユーザー端末１００に含まれて構成されてもよい。たとえば、情報処理装置３００は、ポイントサイトの機能を補強するための構成として、ポイントサーバー２００の一部として設けられてもよい。
【００９０】
また、上記の実施形態においては、送信先アドレスとしてメールアドレスを発行する例について説明したが、送信先アドレスはこれに限定されない。たとえば、送信先アドレスとして、ＳＮＳ（Ｓｏｃｉａｌ  Ｎｅｔｗｏｒｋｉｎｇ  Ｓｅｒｖｉｃｅ）のユーザーＩＤやアカウント情報等が発行されてもよい。
【００９１】
また、上記の実施形態においては、オーダー情報の「ステータス」が「発生」となるタイミングと「確定」となるタイミングとが異なる例について説明したが、これに限定されない。たとえば、成功報酬支払いの条件が、カードの発行ではなくカードの申込である場合は、カードの申込が行われた時点で、「ステータス」が「確定」の状態となる。
【００９２】
また、上記の実施形態においては、「オーダー日時」と「メール送信日時」のみを用いてマッチングを行う場合について説明したが、マッチングの方法はこれに限定されない。たとえば、「オーダー日時」と「メール送信日時」とのマッチングを「クリック日時」でのマッチングと組み合わせてマッチングを行ってもよい。
【００９３】
＜変形例＞
図１６は、変形例に係るポイント還元システムにおけるサービス利用処理の手順を示すシーケンスチャートである。図１６に示される処理は、基本的には図１１に示される処理と同様であるため、共通する部分の説明は省略し、異なる部分を中心に説明する。
【００９４】
図１６に示すように、管理サーバー４００は、ステップＳ２０７において、ポイントサーバー２００から送信されたクリック日時情報を、「第１クリック日時」として、広告利用要求に含めてストレージ４４０に記憶する。さらに、管理サーバー４００は、ステップＳ２１９の処理において、「第１クリック日時」を、申込サーバー５００から受信するオーダー情報と対応付けて記憶する。
【００９５】
情報処理装置３００は、ステップＳ２０９において、ポイントサーバー２００から送信されたクリック日時情報を、「第２クリック日時」として、「ユーザー用メールアドレス」および「管理サーバー」と共にポイントサイト利用情報に含めて記憶する。さらに、情報処理装置３００は、ステップＳ２１７において、「第２クリック日時」を、申込受付情報と対応付けて記憶する。
【００９６】
続いて、情報処理装置３００は、ステップＳ２２２の処理において、図１１に示される「オーダー日時」と「メール送信日時」とのマッチングに加えて、「第１クリック日時」および「第２クリック日時」のマッチングを行う。情報処理装置３００は、「オーダー日時」および「メール送信日時」が一致し、さらに、「第１クリック日時」および「第２クリック日時」が一致する申込受付情報とオーダー情報とを特定し、対応付ける。
【００９７】
このように、「オーダー日時」および「メール送信日時」のマッチングと、「第１クリック日時」および「第２クリック日時」のマッチングとを組み合わせることにより、より精緻にマッチングを行うことができる。これにより、ポイントを還元すべきユーザーをより適切に判断できる。
【００９８】
上述した実施形態に係るポイント還元システムにおける各種処理を行う手段および方法は、専用のハードウェア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、ポイント還元システムの一機能としてその装置のソフトウエアに組み込まれてもよい。
【符号の説明】
【００９９】
１００  ユーザー端末、
１１０  ＣＰＵ、
１２０  ＲＯＭ、
１３０  ＲＡＭ、
１４０  ストレージ、
１５０  通信インターフェース、
１６０  操作表示部、
１７０  バス、
２００  ポイントサーバー、
２１０  ＣＰＵ、
２２０  ＲＯＭ、
２３０  ＲＡＭ、
２４０  ストレージ、
２５０  通信インターフェース、
２６０  操作部、
２７０  表示部、
２８０  バス、
３００  情報処理装置、
３１０  ＣＰＵ、
３２０  ＲＯＭ、
３３０  ＲＡＭ、
３４０  ストレージ、
３５０  通信インターフェース、
３６０  操作部、
３７０  表示部、
３８０  バス、
４００  管理サーバー、
４１０  ＣＰＵ、
４２０  ＲＯＭ、
４３０  ＲＡＭ、
４４０  ストレージ、
４５０  通信インターフェース、
４６０  操作部、
４７０  表示部、
４８０  バス、
５００  申込サーバー、
５１０  ＣＰＵ、
５２０  ＲＯＭ、
５３０  ＲＡＭ、
５４０  ストレージ、
５５０  通信インターフェース、
５６０  操作部、
５７０  表示部、
５８０  バス。
【図１】
0006468599.tif 000002
【図２】
0006468599.tif 000003
【図３】
0006468599.tif 000004
【図４】
0006468599.tif 000005
【図５】
0006468599.tif 000006
【図６】
0006468599.tif 000007
【図７】
0006468599.tif 000008
【図８】
0006468599.tif 000009
【図９】
0006468599.tif 000010
【図１０】
0006468599.tif 000011
【図１１】
0006468599.tif 000012
【図１２】
0006468599.tif 000013
【図１３】
0006468599.tif 000014
【図１４】
0006468599.tif 000015
【図１５】
0006468599.tif 000016
【図１６】
0006468599.tif 000017